(57)【要約】撮像装置は、左目用の画像を形成するための光と右目用の画像を形成するための光とを集光可能な光学系を有する３Ｄアダブタを接続可能であり、光学系の調整を行うための調整モードに設定可能である。撮像装置は、３Ｄアダブタを介して集光された光に基づいて形成された画像を撮像する撮像手段と、撮像手段により撮像された画像を表示する表示手段と、を備える。表示手段は、自装置が調整モードに設定されている際、撮像手段により撮像された左目用の画像と右目用の画像とを重畳して表示する。
2012014355.tif 000002
【特許請求の範囲】
【請求項１】
左目用の画像を形成するための光と右目用の画像を形成するための光とを集光可能な光学系を有する３Ｄアダブタを接続可能であり、前記光学系の調整を行うための調整モードに設定可能な撮像装置であって、
前記３Ｄアダブタを介して集光された光に基づいて形成された画像を撮像する撮像手段と、
前記撮像手段により撮像された画像を表示する表示手段と、を備え、
前記表示手段は、自装置が前記調整モードに設定されている際、前記撮像手段により撮像された左目用の画像と右目用の画像とを重畳して表示する、
撮像装置。
【請求項２】
前記調整モードは、前記左目用の画像が形成される垂直方向の位置と前記右目用の画像が形成される垂直方向の位置とを揃えるためのモードである、
請求項１に記載の撮像装置。
【請求項３】
左目用の画像を形成するための光と右目用の画像を形成するための光とを集光可能な光学系を有する３Ｄアダブタを接続可能であり、前記光学系の調整を行う調整モードに設定可能な撮像装置であって、
前記３Ｄアダブタを介して集光された光に基づいて形成された画像を撮像する撮像手段を備え、
前記調整モードには、
前記左目用の画像、及び右目用の画像の何れか一方の画像が前記撮像手段上に形成される位置を調整するための第１のモードと、
前記第１のモードにおいて調整された一方の画像が前記撮像手段上に形成される垂直方向の位置に対して、他方の画像が前記撮像手段上に形成される垂直方向の位置を揃えるための第２のモードと、が含まれる、
撮像装置。
【請求項４】
メッセージを表示する表示手段をさらに備え、
前記表示手段は、前記第１のモードに入る前に前記３Ｄアダブタにレンズキャップを取り付けるよう使用者に促すメッセージを表示し、前記第２のモードに入る前に前記レンズキャップを取り外すよう使用者に促すメッセージを表示する、
請求項３に記載の撮像装置。
【請求項５】
前記レンズキャップは、撮像装置の水平方向に対して斜めに交差するパターンを有する、
請求項４に記載の撮像装置。
【請求項６】
自装置の電源ＯＦＦ時に、前記３Ｄアダプタが取り付けられているか否かを検出する第１の検出手段と、
前記第１の検出手段の検出結果を示す情報を記録する情報記録手段と、
自装置の電源ＯＮ時に、前記３Ｄアダプタが取り付けられているか否かを検出する第２の検出手段と、
前記情報記録手段に記録されている情報と前記第２の検出手段の検出結果とに基づいて、前記調整モードに設定するか否かを決定する決定手段と、をさらに備える、
請求項１から請求項５のいずれかに記載の撮像装置。
【請求項７】
自装置の電源ＯＦＦ時に前記情報記録手段で記録された情報が、前記３Ｄアダプタが取り付けられていることを示す情報であり、この電源ＯＦＦの後の自装置の電源ＯＮ時における前記第２の検出手段の検出結果が、前記３Ｄアダプタが取り付けられていることを示すものであるときは、前記３Ｄアダプタの調整を促す警告を表示する、
請求項６に記載の撮像装置。
【請求項８】
撮像装置に取り付けられる３Ｄアダプタに装着され、前記３Ｄアダプタを構成するレンズの位置を調整するためのレンズキャップであって、
前記３Ｄアダプタに装着された状態において、前記撮像装置の水平方向に対して斜めに交差するレンズ位置調整用パターンが形成されている、レンズキャップ。
【発明の詳細な説明】
【技術分野】
【０００１】
本発明は撮像装置に関し、特に、３Ｄコンバージョンレンズを取り付け可能な撮像装置に関する。
【背景技術】
【０００２】
特許文献１は、３Ｄアダプタ（立体画像撮像用カメラレンズアダプタ）と、そのアダプタを取り付け可能な撮像装置とを開示している。この撮像装置は、取り付けられた３Ｄアダプタを光軸を中心として回転させることにより、３Ｄアダプタの取り付け状態を調整できる。この撮像装置においては、３Ｄアダプタの取り付け状態を調整する際、スリットの入ったアダプタキャップを３Ｄアダプタに取り付けて調整を行うように構成されている。【０００３】
この状態で被写体像を撮像することにより、使用者は、３Ｄアダプタが撮像装置に対して光軸を中心としてどれだけ回転した状態にあるかを、撮像した像の回転状態により認識できる。
【先行技術文献】
【特許文献】
【０００４】
【特許文献１】特開２００３−５０４３８号公報
【発明の概要】
【発明が解決しようとする課題】
【０００５】
上記特許文献１に開示されている撮像装置では、左目用画像及び右目用画像の撮像素子上での結像位置を調整する際、左目用画像と右目用画像が横方向に並べられた状態となっているので、両画像の垂直方向の位置ずれを精度よく認識しにくい。また、特許文献１の３Ｄアダプタでは、その構造上、左目用画像及び右目用画像の撮像素子上での結像位置を調整する際、左目用画像及び右目用画像の両方が同時に反対方向に動くため、微妙な調整が困難である。このように、特許文献１の撮像装置では、３Ｄアダプタの取り付け状態の精度のよい調整は困難である。【０００６】
本発明は、３Ｄアダプタの取り付け状態の調整を高精度に行うことができる撮像装置を提供することを目的とする。
【課題を解決するための手段】
【０００７】
第１の態様の撮像装置は、左目用の画像を形成するための光と右目用の画像を形成するための光とを集光可能な光学系を有する３Ｄアダプタを接続可能であり、光学系の調整を行うための調整モードに設定可能な撮像装置であって、３Ｄアダプタを介して集光された光に基づいて形成された画像を撮像する撮像手段と、撮像手段により撮像された画像を表示する表示手段と、を備え、表示手段は、自装置が調整モードに設定されている際、撮像手段により撮像された左目用の画像と右目用の画像とを重畳して表示する。【０００８】
第２の態様の撮像装置は、左目用の画像を形成するための光と右目用の画像を形成するための光とを集光可能な光学系を有する３Ｄアダプタを接続可能であり、光学系の調整を行う調整モードに設定可能な撮像装置であって、３Ｄアダプタを介して集光された光に基づいて形成された画像を撮像する撮像手段と、を備え、調整モードには、左目用の画像、及び右目用の画像の何れか一方の画像が形成される位置を調整するための第１のモードと、第１のモードにおいて調整された一方の画像が形成される垂直方向の位置に対して、他方の画像が形成される垂直方向の位置を揃えるための第２のモードと、が含まれる。
【発明の効果】
【０００９】
第１の態様の撮像装置によれば、３Ｄアダプタの取り付け状態の調整時、撮像手段により撮像された左目用の画像と右目用の画像とが重畳して表示されるので、調整に際し、左目用の画像の結像位置と右目用の画像の結像位置のずれを使用者が認識しやすい。したがって、３Ｄアダプタの取り付け状態の調整を高精度に行うことができる。【００１０】
第２の態様の撮像装置によれば、３Ｄアダプタの取り付け状態の調整時、左目用の画像と右目用の画像の両方について垂直方向の位置を個別に調整できる。したがって、３Ｄアダプタの取り付け状態の調整を高精度に行うことができる。
【図面の簡単な説明】
【００１１】
【図１】デジタルビデオカメラ１００に３Ｄコンバージョンレンズ５００を取り付けた状態を示す斜視図
【図２】デジタルビデオカメラ１００から３Ｄコンバージョンレンズ５００を取り外した状態を示す斜視図
【図３】３Ｄコンバージョンレンズ５００を取り付けた状態のデジタルビデオカメラ１００が撮像する画像データを説明するための模式図
【図４】３Ｄコンバージョンレンズ５００及びデジタルビデオカメラ１００の光学系の構成を示す模式図
【図５】調整機構格納部５３０を開放した状態で調整機構格納部５３０内を上方から見た上面図
【図６】レンズキャップ５７０を内側から見た状態を示す斜視図、及びレンズキャップ５７０を外側から見た状態を示す斜視図
【図７】レンズキャップ５７０をレンズキャップ取付部５２０に取り付けた際に、レンズキャップ取付部５２０に対向する面から見たレンズキャップ５７０の構成を示す模式図
【図８】デジタルビデオカメラ１００の構成を示すブロック図
【図９Ａ】デジタルビデオカメラ１００が３Ｄコンバージョンレンズ５００の取り付けを検出した場合の動作を示すフローチャート
【図９Ｂ】デジタルビデオカメラ１００の電源をＯＦＦした場合の動作を示すフローチャート
【図１０】初期設定時の液晶モニタ２７０の表示内容を説明するための模式図
【図１１】３Ｄコンバージョンレンズ５００の調整をするかを問い合わせる際の液晶モニタ２７０の表示内容を説明するための模式図
【図１２】３Ｄコンバージョンレンズ５００の調整時の液晶モニタ２７０の表示内容を説明するための模式図
【図１３】デジタルビデオカメラ１００における電源ＯＮ時の動作を説明するためのフローチャート
【図１４】電源ＯＦＦ時及びこの電源ＯＦＦの後の電源ＯＮ時の両方において３Ｄレンズが取り付けられていることが検出されたときの液晶モニタ２７０の表示内容を説明するための模式図
【図１５】左目用画像の垂直方向の位置と右目用画像の垂直方向の位置とを調整する際の液晶モニタ２７０の表示の模式図
【図１６】左目用画像の垂直方向の位置と右目用画像の垂直方向の位置とを調整する際の液晶モニタ２７０の表示の模式図
【発明を実施するための形態】
【００１２】
１．実施の形態１
本発明をデジタルビデオカメラに適用した場合の実施の形態１について図面を用いて説明する。
【００１３】
１−１．概要
本実施の形態にかかるデジタルビデオカメラ１００の概要について図１〜３を用いて説明する。図１は、デジタルビデオカメラ１００に３Ｄコンバージョンレンズ５００を取り付けた状態を示す斜視図である。図２は、デジタルビデオカメラ１００から３Ｄコンバージョンレンズ５００を取り外した状態を示す斜視図である。
【００１４】
図１に示すように、デジタルビデオカメラ１００は、３Ｄコンバージョンレンズ５００を取り付けるための取付部６４０を有している。取付部６４０は、内側に雌ネジを有している。一方、３Ｄコンバージョンレンズ５００は、取付部６４０が有する雌ネジに係合する雄ネジを有している。使用者は、３Ｄコンバージョンレンズ５００が有する雄ネジを取付部６４０が有する雌ネジに係合させることで、３Ｄコンバージョンレンズ５００をデジタルビデオカメラ１００に取り付けることができる。なお、デジタルビデオカメラ１００は、３Ｄコンバージョンレンズ５００が取り付けられたことを検出スイッチ８００（後述する図８参照）により磁気的に検出できる。
【００１５】
図３は、３Ｄコンバージョンレンズ５００の光学系５０１及びデジタルビデオカメラ１００の光学系１０１の構成を説明した図である。３Ｄコンバージョンレンズ５００の光学系５０１は、３Ｄ（three dimensions）画像における右目用の像を形成するための光を導入する右目用レンズ６００と、左目用の像を形成するための光を導入する左目用レンズ６２０と、右目用レンズ６００及び左目用レンズ６２０に導入された光をデジタルビデオカメラ１００の光学系１０１に導くための左目用と右目用とが一体化された共用レンズ６１０とを有する。３Ｄコンバージョンレンズ５００の右目用レンズ６００及び左目用レンズ６２０に入射した光は、それぞれ共用レンズ６１０を介してデジタルビデオカメラ１００の光学系１０１に導入され、デジタルビデオカメラ１００のＣＣＤイメージセンサー１８０（後述する図８参照）に、例えば図４に示すようなサイドバイサイド形式の画像として結像される。右目用レンズ６００及び左目用レンズ６２０は、３Ｄコンバージョンレンズ５００内で個別に上下左右に（光軸に対して垂直な方向に）移動可能に構成されている。
【００１６】
図１に戻り、３Ｄコンバージョンレンズ５００は、調整機構格納部５３０を有する。調整機構格納部５３０内には後述する水平調整ダイヤル、第１垂直調整ダイヤル、第２垂直調整ダイヤル等の調整ダイヤルが格納されている。
【００１７】
使用者は、各種調整ダイヤルを操作することにより、右目用レンズ６００及び左目用レンズ６２０の３Ｄコンバージョンレンズ５００内での位置をそれぞれ調整できる。右目用レンズ６００及び左目用レンズ６２０の３Ｄコンバージョンレンズ５００内での位置がそれぞれ調整されると、３Ｄコンバージョンレンズ５００に入射した光は、デジタルビデオカメラ１００のＣＣＤイメージセンサー１８０上に上記調整の内容に応じた位置で結像される。
【００１８】
本実施の形態にかかるデジタルビデオカメラ１００は、３Ｄコンバージョンレンズ５００の取り付け後の調整を容易に行うための機能を有する。
【００１９】
１−２．調整ダイヤル
調整機構格納部５３０に収納されている各種調整ダイヤルについて図５を用いて説明する。図５は、調整機構格納部５３０を開放した状態で調整機構格納部５３０内を上方から見た上面図である。調整機構格納部５３０内には、水平調整ダイヤル５４０、第１垂直調整ダイヤル５５０、及び第２垂直調整ダイヤル５６０が収納されている。水平調整ダイヤル５４０は、右目用レンズ６００及び左目用レンズ６２０の水平方向の位置を調整するためのダイヤルである。第１垂直調整ダイヤル５５０は、右目用レンズ６００及び左目用レンズ６２０の垂直方向の位置を調整するためのダイヤルである。第２垂直調整ダイヤル５６０は、左目用レンズ６２０の垂直方向の位置を調整するためのダイヤルである。水平調整ダイヤル５４０、第１垂直調整ダイヤル５５０及び第２垂直調整ダイヤル５６０は、ギヤ形状をしている。水平調整ダイヤル５４０、及び第２垂直調整ダイヤル５６０は、矢印方向と垂直な方向に設けられた不図示の軸により矢印方向に回転可能に保持されている。使用者は、水平調整ダイヤル５４０、及び第２垂直調整ダイヤル５６０を矢印方向に回転操作できる。また、第１垂直調整ダイヤル５５０は、調整機構格納部５３０の面の法線方向に設けられた軸により矢印方向（すなわち、円周方向）に回転可能に保持されている。使用者は、第１垂直調整ダイヤル５５０を矢印方向に回転操作できる。
【００２０】
使用者により水平調整ダイヤル５４０が操作されると、右目用レンズ６００及び左目用レンズ６２０は、３Ｄコンバージョンレンズ５００内において水平方向に移動する。使用者により第１垂直調整ダイヤル５５０が操作されると、右目用レンズ６００と左目用レンズ６２０とは、３Ｄコンバージョンレンズ５００内において垂直方向に移動する。使用者により第２垂直調整ダイヤル５６０が操作されると、左目用レンズ６２０は、３Ｄコンバージョンレンズ５００内において垂直方向に移動する。
【００２１】
このような構成により、使用者は、水平調整ダイヤル５４０、第１垂直調整ダイヤル５５０及び第２垂直調整ダイヤル５６０を操作することにより、右目用レンズ６００及び左目用レンズ６２０を介して入射する光のＣＣＤイメージセンサー１８０上における結像位置を調整できる。
【００２２】
１−３．レンズキャップの構成
本実施の形態では、３Ｄコンバージョンレンズ５００にレンズキャップ５７０が装着可能である。特に、このレンズキャップ５７０は、３Ｄコンバージョンレンズ５００に装着された状態において３Ｄコンバージョンレンズ５００の光学系５０１の調整を行うことを可能とする。以下、このレンズキャップ５７０について図６、図７を用いて説明する。レンズキャップ５７０は、レンズキャップ取付部５２０に取り付け可能である。図６（ａ）は、レンズキャップ５７０を内面側から見た状態を示す斜視図である。図６（ｂ）は、レンズキャップ５７０を外面側から見た状態を示す斜視図である。図７は、レンズキャップ５７０をレンズキャップ取付部５２０に取り付けた際に、レンズキャップ取付部５２０に対向する面から見たレンズキャップ５７０の構成を示す模式図である。
【００２３】
レンズキャップ５７０の内面には、３Ｄコンバージョンレンズ５００に対する取り付け位置を規定するとともに、レンズキャップ５７０の３Ｄコンバージョンレンズ５００に対する回転を防止するための構造が設けられている。具体的には、レンズキャップ５７０の内面の左右には突起６８０が形成されている。また、３Ｄコンバージョンレンズ５００の先端部外周の左右には、図１に示すように、溝６７０が設けられている。そして、レンズキャップ５７０を３Ｄコンバージョンレンズ５００に取り付けるときに、レンズキャップ５７０の突起６８０と３Ｄコンバージョンレンズ５００の溝６７０とを係合させる。これにより、レンズキャップ５７０の３Ｄコンバージョンレンズ５００に対する取り付け位置が規定されるとともに、レンズキャップ５７０の３Ｄコンバージョンレンズ５００に対する回転を防止することができる。
【００２４】
レンズキャップ５７０には、図６（ａ）、図７に示すようなパターンが付されている。具体的には、レンズキャップ５７０には、水平方向に延びる直線からなる基準線５８０が付されている。また、レンズキャップ５７０には、基準線５８０に線対称に配置された２つの三角形からなるパターン５９０が付されている。また、このパターン５９０は、基準線５８０の中点を中心として左右対称に配置されている。領域６１０は、光を透過する樹脂で構成されている。従って、レンズキャップ５７０をレンズキャップ取付部５２０に取り付けた状態で、デジタルビデオカメラ１００は、図７に示す模様を撮像できる。パターン５９０は、２つの三角形からなるパターンであるので、斜め方向に延びる線を有している。そのため、パターン５９０は、コントラストＡＦ方式において合焦させやすいというメリットがある。なお、斜め方向に延びる線を有していれば、パターンは三角形である必要はない。
【００２５】
１−４．デジタルビデオカメラの電気的構成
本実施の形態にかかるデジタルビデオカメラ１００の電気的構成について、図８を用いて説明する。図８は、デジタルビデオカメラ１００の構成を示すブロック図である。デジタルビデオカメラ１００は、光学系１０１、ＣＣＤイメージセンサー１８０、画像処理部１９０、液晶モニタ２７０、検出器１２０、ズームモータ１３０、ＯＩＳアクチュエータ１５０、検出器１６０、メモリ２００、ズームレバー２６０、操作部材２５０、内部メモリ２８０、ジャイロセンサー２２０、及びカードスロット２３０を有する。デジタルビデオカメラ１００は、光学系１０１により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００２６】
デジタルビデオカメラ１００の光学系１０１は、ズームレンズ１１０、ＯＩＳ１４０、フォーカスレンズ１７０を含む。ズームレンズ１１０は、光学系１０１の光軸に沿って移動することにより、被写体像を拡大又は縮小可能である。また、フォーカスレンズ１７０は、光学系１０１の光軸に沿って移動することにより、被写体像のピントを調整する。
【００２７】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００２８】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００２９】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。検出器１６０は、ＯＩＳ１４０内における補正レンズの移動量を検出する。
【００３０】
ＣＣＤイメージセンサー１８０は、ズームレンズ１１０等からなる光学系１０１で形成された被写体像を撮像して、映像データを生成する。ＣＣＤイメージセンサー１８０は、露光、転送、電子シャッタなどの各種動作を行う。
【００３１】
画像処理部１９０は、ＣＣＤイメージセンサー１８０で生成された映像データに対して各種の処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００３２】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００３３】
メモリ２００は、画像処理部１９０及びコントローラー２１０のワークメモリとして機能する。メモリ２００は、例えば、ＤＲＡＭ、強誘電体メモリなどで実現できる。
【００３４】
液晶モニタ２７０は、ＣＣＤイメージセンサー１８０で生成された映像データが示す画像や、メモリカード２４０から読み出した映像データが示す画像を表示可能である。また、液晶モニタ２７０上にはタッチパネルが設けられている。使用者は、液晶モニタ２７０上に表示されたアイコンをタッチすることで、デジタルビデオカメラ１００を操作できる。
【００３５】
ジャイロセンサー２２０は、圧電素子等の振動材等で構成される。ジャイロセンサー２２０は、圧電素子等の振動材を一定周波数で振動させたときのコリオリ力による力を電圧に変換して角速度情報を得る。デジタルビデオカメラ１００は、ジャイロセンサー２２０から角速度情報を得て、この揺れを相殺する方向にＯＩＳ内の補正レンズを駆動させることにより、使用者による手振れを補正する。
【００３６】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００３７】
内部メモリ２８０は、フラッシュメモリや強誘電体メモリなどで構成される。内部メモリ２８０は、デジタルビデオカメラ１００全体を制御するための制御プログラム等を格納する。
【００３８】
操作部材２５０は、使用者から操作を受け付ける部材である。ズームレバー２６０は、使用者からズーム倍率の変更指示を受け付ける部材である。
【００３９】
検出スイッチ８００は、３Ｄコンバージョンレンズ５００がデジタルビデオカメラ１００に取り付けられたことを磁気的に検出できる。検出スイッチ８００は、３Ｄコンバージョンレンズ５００が取り付けられたことを検出すると、その旨の信号をコントローラー２１０に通知する。これにより、コントローラー２１０は、デジタルビデオカメラ１００に３Ｄコンバージョンレンズ５００が取り付けられたこと、及び取り外されたことを検出できる。
【００４０】
１−５．本発明との対応
３Ｄコンバージョンレンズ５００は、３Ｄコンバージョンレンズの一例である。ＣＣＤイメージセンサー１８０は、撮像手段の一例である。液晶モニタ２７０は、表示手段の一例である。コントローラー２１０は、３Ｄコンバージョンレンズの光学系の位置を調整するための制御を行う調整手段の一例である。
【００４１】
１−６．動作
１−６−１．３Ｄコンバージョンレンズが取り付けられていることを検出した場合の動作
デジタルビデオカメラ１００が、３Ｄコンバージョンレンズ５００が取り付けられたことを検出した場合の動作について図９Ａ〜図１２を用いて説明する。図９Ａは、デジタルビデオカメラ１００が、３Ｄコンバージョンレンズ５００が取り付けられていることを検出した場合の動作を示すフローチャートである。図９Ｂは、デジタルビデオカメラ１００の電源をＯＦＦした場合の動作を示すフローチャートである。図１０は、初期設定時の液晶モニタ２７０の表示内容を説明するための模式図である。図１１は、３Ｄコンバージョンレンズ５００の調整をするかを問い合わせる際の液晶モニタ２７０の表示内容を説明するための模式図である。図１２は、３Ｄコンバージョンレンズ５００の調整時の液晶モニタ２７０の表示内容を説明するための模式図である。
【００４２】
使用者により３Ｄコンバージョンレンズ５００がデジタルビデオカメラ１００に取り付けられると、コントローラー２１０は、検出スイッチ８００からの検出信号に基づき、３Ｄコンバージョンレンズ５００が取り付けられたことを検出する（Ｓ１００）。３Ｄコンバージョンレンズ５００が取り付けられたことを検出すると、コントローラー２１０は、図１０に示すメッセージを表示するよう液晶モニタ２７０を制御する（Ｓ１１０）。具体的には、「３Ｄ撮影の初期設定を行っています。」とのメッセージを表示する。また、液晶モニタ２７０にメッセージを表示させるのに併せて、コントローラー２１０は、３Ｄモードにおける初期設定を開始するようデジタルビデオカメラ１００を制御する（Ｓ１１０）。具体的には、コントローラー２１０は、初期設定として、ズームレンズ１１０を望遠端に移動させたり、画像処理の方法を２Ｄ画像の撮影モードとは異なる方法にするよう設定したりする。なお、図１０に表示したメッセージは一例である。メッセージの内容は、同様の主旨である限り異なる内容でも構わない。図１１、図１２、図１４においても同様である。
【００４３】
初期設定が完了すると、コントローラー２１０は、図１１に示すメッセージを表示するよう液晶モニタ２７０を制御する（Ｓ１２０）。具体的には、コントローラー２１０は、例えば「３Ｄコンバージョンレンズ５００の調整をしますか？  調整する場合にはレンズキャップを取り付けてください」というように、３Ｄコンバージョンレンズ５００の位置調整を行うかを問合せて、調整する場合にはレンズキャップを取り付けるよう促すメッセージを表示する。また、コントローラー２１０は、図１１に示すようなＯＳＤを表示するよう液晶モニタ２７０を制御する。具体的には、コントローラー２１０は、水平方向基準線９１０及び垂直方向基準線９００を表示するよう液晶モニタ２７０を制御する。また、コントローラー２１０は、使用者による操作を受け付けるための「調整」を示すＯＳＤ９２０、及び「終了」を示すＯＳＤ９３０を表示するよう液晶モニタ２７０を制御する。
【００４４】
図１１に示される画像を表示するよう液晶モニタ２７０を制御すると、コントローラー２１０は、使用者により「調整」を示すＯＳＤ９２０がタッチされるか、「終了」を示すＯＳＤ９３０がタッチされるまで待機する（Ｓ１３０）。
【００４５】
使用者により「終了」を示すＯＳＤ９３０が選択されると、コントローラー２１０は、撮影モードに移行し（Ｓ１４０）、使用者から撮影開始指示を受け付けるまで待機する。一方、図１１に示される画像を表示している際に、使用者により「調整」を示すＯＳＤ９２０が選択されると、コントローラー２１０は、調整モードに移行する。この調整モードは、左目用の画像、及び右目用の画像の何れか一方の画像が形成される位置を調整するための第１の調整モードと、第１のモードにおいて調整された一方の画像が形成される垂直方向の位置に対して、他方の画像が形成される垂直方向の位置を揃えるための第２のモードとを含む。本実施の形態では、第１のモードにおいて右目用の画像が形成される位置を調整し、第２のモードにおいて左目用の画像が形成される垂直方向の位置を調整する場合について説明するが、第１のモードにおいて左目用の画像が形成される位置を調整し、第２のモードにおいて右目用の画像が形成される垂直方向の位置を調整してもよい。
【００４６】
まず、コントローラー２１０は、第１の調整モードを実行する。すなわち、図１２（ａ）に示される画像を表示するよう液晶モニタ２７０を制御する（Ｓ１５０）。なお、使用者は、３Ｄコンバージョンレンズ５００の位置を調整するときに、図１１に示される画像を認識した後、レンズキャップ５７０をデジタルビデオカメラ１００に取り付けるものとする。具体的には、コントローラー２１０は、垂直方向基準線９４０を２本表示するよう液晶モニタ２７０を制御する。また、コントローラー２１０は、ＣＣＤイメージセンサー１８０により撮像された左目用の画像９７０Ｌ及び右目用の画像９７０Ｒを表示するよう液晶モニタ２７０を制御する。また、コントローラー２１０は、「水平方向に調整して下さい。」というメッセージを表示するよう液晶モニタ２７０を制御する。使用者は、水平調整ダイヤル５４０を操作することにより、左目用の画像９７０Ｌと右目用の画像９７０Ｒを移動させ、これにより、これらの画像９７０Ｌと９７０Ｒの間に存在する領域である領域９５０を水平方向に移動できる。使用者は、領域９５０を２本の垂直方向基準線９４０の間に移動させることで、右目用レンズ６００及び左目用レンズ６２０の水平方向の位置を調整できる。また、デジタルビデオカメラ１００は、パターン５９０を撮像している。デジタルビデオカメラ１００は、コントラスト方式のＡＦによりパターン５９０に合焦させることができる。その結果、デジタルビデオカメラ１００は、基準線５８０にも合焦させることができる。
【００４７】
図１２（ａ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ１６０）。
【００４８】
使用者により「戻る」を示すＯＳＤ９８０がタッチされると、コントローラー２１０は、再度図１１に示される画像を表示するよう液晶モニタ２７０を制御する（Ｓ１２０に戻る）。一方、「次へ」を示すＯＳＤ９９０がタッチされると、コントローラー２１０は、図１２（ｂ）に示される画像を表示するよう液晶モニタ２７０を制御する（Ｓ１７０）。具体的には、コントローラー２１０は、水平方向基準線９６０を２本表示するよう液晶モニタ２７０を制御する。また、コントローラー２１０は、ＣＣＤイメージセンサー１８０により撮像された画像のうち右目用の画像９７０Ｒのみを表示するよう液晶モニタ２７０を制御する。右目用の画像９７０Ｒのみを表示するのは、右目用の画像９７０Ｒと左目用の画像９７０Ｌの両方を表示すると、使用者がどちらの画像について調整すればよいかわからなくなる虞があるからである。また、コントローラー２１０は、「垂直方向に調整して下さい。」というメッセージを表示するよう液晶モニタ２７０を制御する。使用者は、第２垂直調整ダイヤル５６０を操作することにより、右目用の画像９７０Ｒを垂直方向に移動できる。使用者は、基準線５８０を２本の水平方向基準線９６０の間に移動させることで、右目用レンズ６００の垂直方向の位置を調整できる。
【００４９】
図１２（ｂ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ１８０）。
【００５０】
使用者により「戻る」を示すＯＳＤ９８０がタッチされると、コントローラー２１０は、再度図１２（ａ）に示される画像を表示するよう液晶モニタ２７０を制御する（Ｓ１５０に戻る）。一方、「次へ」を示すＯＳＤ９９０がタッチされると、コントローラー２１０は、第２の調整モードを実行する。すなわち、コントローラー２１０は、図１２（ｃ）に示される画像を表示するよう液晶モニタ２７０を制御する（Ｓ１９０）。具体的には、コントローラー２１０は、「レンズキャップを外してください。１．２ｍ〜２．０ｍ離れた被写体を写してください」というメッセージを表示するよう液晶モニタ２７０を制御する。
【００５１】
図１２（ｃ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ２００）。
【００５２】
使用者により「戻る」を示すＯＳＤ９８０がタッチされると、コントローラー２１０は、再度図１２（ｂ）に示される画像を表示するよう液晶モニタ２７０を制御する（Ｓ１７０に戻る）。一方、「次へ」を示すＯＳＤ９９０がタッチされると、コントローラー２１０は、図１２（ｄ）に示される画像を表示するよう液晶モニタ２７０を制御する（Ｓ２１０）。具体的には、コントローラー２１０は、左目用の画像９９５Ｌと、右目用の画像９９５Ｒとを水平方向、及び垂直方向に液晶モニタ２７０の画素数に対応する大きさまで引き伸ばし、それぞれの画像を重畳して表示するよう液晶モニタ２７０を制御する。また、コントローラー２１０は、「画像の垂直方向のズレを調整して下さい。」というメッセージを表示するよう液晶モニタ２７０を制御する。使用者は、第２垂直調整ダイヤル５６０を操作することにより、左目用の画像９９５Ｌを垂直方向に移動できる。使用者は、左目用の画像９９５Ｌの垂直方向の位置を右目用の画像９９５Ｒの垂直方向の位置に移動させることで、左目用レンズ６２０の垂直方向の位置を調整できる。つまり、使用者は、このようにすることで、ＣＣＤイメージセンサー１８０に対する３Ｄコンバージョンレンズ５００の傾きにより生じる左目用画像９９５Ｌと右目用画像９９５Ｒとの垂直方向のズレを調整できる。３Ｄコンバージョンレンズ５００がデジタルビデオカメラ１００に対して傾いた状態で取り付けられると、撮像された画像も傾くこととなるが、この傾きは、使用者が画像を視認する際、左目用の画像と右目用の画像の上下方向のずれとなる。その結果、３Ｄ画像を視る使用者を疲れさせる。しかし、本実施形態では、上記のような構成を採用したことにより、このような不具合を防止することができる。
【００５３】
図１２（ｄ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ２２０）。
【００５４】
使用者により「戻る」を示すＯＳＤ９８０がタッチされると、コントローラー２１０は、再度図１２（ｃ）に示される画像を表示するよう液晶モニタ２７０を制御する（Ｓ１９０）。一方、「次へ」を示すＯＳＤ９９０がタッチされると、コントローラー２１０は、撮影モードに移行するようデジタルビデオカメラ１００全体を制御する（Ｓ２３０）。
【００５５】
１−６−２  電源ＯＦＦ時の動作
撮影モードに移行後、コントローラー２１０は、使用者によりデジタルビデオカメラ１００の電源をＯＦＦする指示がなされたかを判断する（Ｓ２４０）。使用者により電源をＯＦＦする指示がなされたと判断すると、コントローラー２１０は、デジタルビデオカメラ１００に３Ｄコンバージョンレンズ５００が取り付けられているか否かを判断する（Ｓ２５０）。３Ｄコンバージョンレンズ５００が取り付けられていないと判断すると、コントローラー２１０は、電源ＯＦＦ時に３Ｄコンバージョンレンズ５００が取り付けられていない旨を示す情報（例えば、取り付けられていないことを示すフラグ）を内部メモリ２８０に記録する（Ｓ２６０）。一方、３Ｄコンバージョンレンズ５００が取り付けられていると判断すると、コントローラー２１０は、電源ＯＦＦ時に３Ｄコンバージョンレンズ５００が取り付けられている旨を示す情報（例えば、取り付けられていることを示すフラグ）を内部メモリ２８０に記録する（Ｓ２７０）。電源ＯＦＦ時の３Ｄコンバージョンレンズ５００の着脱状態に関する情報を内部メモリ２８０に記録すると、コントローラー２１０は、電源をＯＦＦするようデジタルビデオカメラ１００全体を制御する（Ｓ２８０）。
【００５６】
１−６−３．電源ＯＮ時の動作
デジタルビデオカメラ１００における電源ＯＮ時の動作について図１３を用いて説明する。図１３は、デジタルビデオカメラ１００における電源ＯＮ時の動作を説明するためのフローチャートである。
【００５７】
使用者による電源ＯＮの操作を受け付けると（Ｓ３００）、コントローラー２１０は検出スイッチ８００からの検出信号に基づき、電源ＯＮ時に３Ｄコンバージョンレンズ５００が取り付けられているか否かを判断する（Ｓ３１０）。３Ｄコンバージョンレンズ５００が取り付けられていないと判断すると、コントローラー２１０は、２Ｄ撮影モードに移行するようデジタルビデオカメラ１００全体を制御する（Ｓ３２０）。一方、３Ｄコンバージョンレンズ５００が取り付けられていると判断すると、コントローラー２１０は、内部メモリ２８０内に前回の電源ＯＦＦ時に３Ｄコンバージョンレンズ５００が取り付けられていた旨の情報が記憶されているか否かを判断する（Ｓ３３０）。
【００５８】
電源ＯＮ時に３Ｄコンバージョンレンズ５００が取り付けられている状態において、この電源ＯＮの前の電源ＯＦＦ時に３Ｄコンバージョンレンズ５００が取り付けられていた旨の情報が記憶されていると判断すると、コントローラー２１０は、警告を表示する（Ｓ３４５）。図１４は、電源ＯＦＦ時及びこの電源ＯＦＦの後の電源ＯＮ時の両方において３Ｄコンバージョンレンズ５００が取り付けられていることが検出されたときの液晶モニタ２７０の表示内容を説明した図である。具体的には、「前回使用時と今回使用時との間に３Ｄコンバージョンレンズ５００を取り外した場合は、３Ｄコンバージョンレンズ５００の調整を行ってください。」と調整を促す警告表示を行う。内部メモリ２８０内に前回の電源ＯＦＦ時に３Ｄコンバージョンレンズ５００が取り付けられていた旨の情報が記憶されており、かつ今回の電源ＯＮ時に３Ｄコンバージョンレンズ５００が取り付けられていると判断された場合であっても、電源ＯＦＦ状態の間に３Ｄコンバージョンレンズ５００が一旦取り外され、その後再度取り付けられている可能性がある。このような場合、３Ｄコンバージョンレンズ５００の取り付け状態が適切でない可能性がある。そこで、電源ＯＦＦ時及びこの電源ＯＦＦの後の電源ＯＮ時の両方において３Ｄコンバージョンレンズ５００が取り付けられていることが検出された場合であっても、３Ｄコンバージョンレンズ５００の調整を促す警告表示を行う。
【００５９】
警告表示から例えば所定時間経過後、コントローラー２１０は、３Ｄの撮影モードに移行するようデジタルビデオカメラ１００全体を制御する（Ｓ３５０）。一方、ステップＳ３３０において、３Ｄコンバージョンレンズ５００が取り付けられていなかった旨の情報が記憶されていると判断すると、コントローラー２１０は、図９ＡにおけるステップＳ１００に移行し（Ｓ３４０）、以後、図９Ａのフローチャートに示す処理を行う。なお、ステップＳ３４５とステップＳ３５０との間に使用者による調整要否の判定を行うステップを設け、使用者により調整要の判定がなされた場合は、ステップＳ１００に移行して以後の処理を行い、一方、使用者により調整不要の判定がなされた場合は、ステップＳ３５０に移行するようにしてもよい。
【００６０】
１−７．まとめ
このように本実施の形態にかかるデジタルビデオカメラ１００は、３Ｄコンバージョンレンズ５００内の光学系の調整を行う際、具体的には左目用の画像９９５Ｌの垂直方向の結像位置と右目用の画像９９５Ｒの垂直方向の結像位置とのズレを使用者に調整させる際、図１２（ｄ）に示すように、ＣＣＤイメージセンサー１８０により撮像された左目用の画像９９５Ｌと右目用の画像９９５Ｒとを重畳して液晶モニタ２７０に表示する。これにより、使用者は、左目用の画像９９５Ｌの垂直方向の結像位置と右目用の画像９９５Ｒの垂直方向の結像位置とのズレを視覚的に認識できる。したがって、３Ｄコンバージョンレンズ５００の取り付け状態の調整を高精度に行うことができる。
【００６１】
また、本実施の形態にかかるデジタルビデオカメラ１００は、図１２（ａ）、図１２（ｂ）に示すように、一方の画像の結像位置を使用者に確定調整させた後に、他方の画像の結像位置を使用者に確定させる。これにより、使用者は、左目用の画像９９５Ｌの結像位置と右目用の画像９９５Ｒの結像位置とのズレを容易に調整できる。
【００６２】
また、本実施の形態にかかるデジタルビデオカメラ１００は、図１１に示すように、一方の画像の結像位置を使用者に確定させる際に、レンズキャップ５７０を取り付けるよう促すメッセージを液晶モニタ２７０に表示する。また、デジタルビデオカメラ１００は、他方の画像の結像位置を既に結像位置を確定した画像の結像位置との関係で使用者に調整させる際に、図１２（ｃ）に示すように、レンズキャップ５７０を取り外すよう促すメッセージを液晶モニタ２７０に表示する。これは、以下の理由による。仮に３Ｄコンバージョンレンズ５００がＣＣＤイメージセンサー１８０に対して傾いていたとすると、レンズキャップ５７０も３Ｄコンバージョンレンズ５００と共に、ＣＣＤイメージセンサー１８０に対して傾いてしまう。この傾いた状態では、ＣＣＤイメージセンサー１８０で撮像された左右の三角形のパターン５９０の垂直方向の位置にズレが生じる。このようにずれた状態において、左右の三角形のパターン５９０の垂直方向のズレがなくなるように調整すると、レンズキャップ５７０を取り外した状態で被写体を撮影したときに、被写体の垂直方向の位置がずれることとなる。したがって、ＣＣＤイメージセンサー１８０に対する３Ｄコンバージョンレンズ５００の傾きにより生じる左目用画像と右目用画像との垂直方向のズレの調整は、レンズキャップ５７０を取り外した状態で行う必要がある。そこで、ＣＣＤイメージセンサー１８０に対する３Ｄコンバージョンレンズ５００の傾きにより生じる左目用画像と右目用画像との垂直方向のズレを調整する際には、レンズキャップ５７０を取り外すように使用者に促す。これにより、上記のように３Ｄコンバージョンレンズ５００がＣＣＤイメージセンサー１８０に対して傾いてしまうという不具合を防止しつつ、左目用画像と右目用画像との垂直方向のズレを使用者に正確に調整させることができる。これにより、使用者は、一方の画像の結像位置の確定を容易に行うことができ、かつ、他方の画像の結像位置を既に結像位置を確定した画像の結像位置との関係で容易に調整できる。
【００６３】
また、本実施の形態にかかるデジタルビデオカメラ１００は、電源ＯＦＦ時に３Ｄコンバージョンレンズ５００が取り付けられていたか否かを示す情報を内部メモリ２８０に記憶する。これにより、デジタルビデオカメラ１００は、電源ＯＮ時に前回の電源ＯＦＦ時に３Ｄコンバージョンレンズ５００が取り付けられていたか否かを認識できる。その結果、前回の電源ＯＦＦ時に３Ｄコンバージョンレンズ５００が取り付けられていた場合には図９ＡにおけるステップＳ１００からの制御、すなわち３Ｄコンバージョンレンズの取り付けが検出された場合の制御を行わない。これは、前回の電源ＯＦＦ時に３Ｄコンバージョンレンズ５００が取り付けられていた場合には、既に３Ｄコンバージョンレンズ５００の調整が完了している場合が多いからである。既に３Ｄコンバージョンレンズ５００の調整が完了しているにも関わらず、上記３Ｄコンバージョンレンズの取り付けが検出された場合の制御が行われると使用者にとって煩わしい。そこで、本実施の形態にかかるデジタルビデオカメラ１００は、前回の電源ＯＦＦ時に３Ｄコンバージョンレンズ５００が取り付けられていた場合には上記３Ｄコンバージョンレンズの取り付けが検出された場合の制御を行わないこととしている。
【００６４】
２．実施の形態２
本発明をデジタルビデオカメラに適用した実施の形態２について図面を用いて説明する。なお、実施の形態１と共通の部分については説明を省略する。実施の形態２にかかるデジタルビデオカメラは、実施の形態１にかかるデジタルビデオカメラにおける図１２（ｄ）の表示（左目用画像の垂直方向の位置と右目用画像の垂直方向の位置とを調整する際の表示）にかかる部分が異なる。以下、その点について説明する。
【００６５】
本実施の形態における左目用画像の垂直方向の位置と右目用画像の垂直方向の位置とを調整する際の液晶モニタ２７０の表示について図１５を用いて説明する。図１５は、左目用画像の垂直方向の位置と右目用画像の垂直方向の位置とを調整する際に液晶モニタ２７０に表示される画像を説明した図である。
【００６６】
本実施の形態にかかるデジタルビデオカメラ１００は、左目用画像の垂直方向の位置と右目用画像の垂直方向の位置とを使用者に揃えさせる際に、左目用画像を液晶モニタ２７０の画素数に対応する大きさに引き伸ばした画像と、右目用画像を液晶モニタ２７０の画素数に対応する大きさに引き伸ばした画像とを時間的に交互に液晶モニタ２７０に表示する。例えば、本実施の形態においては、左目用画像と右目用画像とを１／３０秒おきに交互に表示する。
【００６７】
使用者は、実施の形態１と同様、第２垂直調整ダイヤル５６０を操作することにより、左目用の画像を垂直方向に移動できる。使用者は、左目用の画像の垂直方向の位置を右目用の画像の垂直方向の位置に移動させることで、左目用レンズ６２０の垂直方向の位置を調整できる。これにより、使用者は、左目用の画像の結像位置と右目用の画像の結像位置とのズレを容易に調整できる。
【００６８】
３．実施の形態３
本発明をデジタルビデオカメラに適用した実施の形態３について図面を用いて説明する。なお、実施の形態１と共通の部分については説明を省略する。実施の形態３にかかるデジタルビデオカメラは、実施の形態１にかかるデジタルビデオカメラにおける図１２（ｄ）の表示（左目用画像の垂直方向の位置と右目用画像の垂直方向の位置とを調整する際の表示）にかかる部分が異なる。以下、その点について説明する。
【００６９】
本実施の形態における左目用画像の垂直方向の位置と右目用画像の垂直方向の位置とを調整する際の液晶モニタ２７０の表示について図１６を用いて説明する。図１６は、左目用画像の垂直方向の位置と右目用画像の垂直方向の位置とを調整する際の液晶モニタ２７０の表示の模式図である。
【００７０】
本実施の形態にかかるデジタルビデオカメラ１００は、左目用画像の垂直方向の位置と右目用画像の垂直方向の位置とを使用者に揃えさせる際に、左目用の画像を垂直方向に引き伸ばした画像９９７Ｌと右目用の画像を垂直方向に引き伸ばした画像９９７Ｒとを左右に並べて同時に液晶モニタ２７０に表示する。
【００７１】
使用者は、実施の形態１同様、第１垂直調整ダイヤル５５０を操作することにより、左目用の画像９９７Ｌを垂直方向に移動できる。使用者は、左目用の画像９９７Ｌの垂直方向の位置を右目用の画像９９７Ｒの垂直方向の位置に移動させることで、左目用レンズ６２０の垂直方向の位置を調整できる。これにより、使用者は、左目用の画像９９７Ｌの結像位置と右目用の画像９９７Ｒの結像位置とを容易に調整できる。
【００７２】
実施の形態３では、左目用の画像及び右目用の画像をそれぞれ垂直方向に引き伸ばしているので、垂直方向の位置の調整を行い易くなるとともに、調整精度を確保しやすくなる。
【００７３】
４．他の実施の形態
以上、本発明の実施の形態として、実施の形態１〜３を説明した。しかし、本発明は、これらには限定されない。以下、本発明の他の実施の形態を説明する。
【００７４】
本実施の形態にかかるデジタルビデオカメラ１００の光学系及び駆動系は、図８に示すものに限定されない。例えば、図８では３群構成の光学系を例示しているが、他の群構成のレンズ構成としてもよい。また、それぞれのレンズは、１つのレンズで構成してもよく、複数のレンズから構成されるレンズ群として構成してもよい。
【００７５】
また、実施の形態１〜３では、撮像手段として、ＣＣＤイメージセンサー１８０を例示したが、本発明はこれに限定されない。例えば、撮像手段をＣＭＯＳイメージセンサーで構成してもよく、ＮＭＯＳイメージセンサーで構成してもよい。
【００７６】
また、実施の形態１〜３では、左目用画像と右目用画像のＣＣＤイメージセンサー１８０における水平方向の結像位置の調整、及び右目用画像のＣＣＤイメージセンサー１８０における垂直方向の結像位置の調整をレンズキャップ５７０を取り付けた状態で使用者に行わせている。しかしながら、必ずしもこのような構成には限定されない。レンズキャップ５７０を取り付けていない状態で、左目用画像と右目用画像のＣＣＤイメージセンサー１８０における水平方向の結像位置の調整、及び右目用画像のＣＣＤイメージセンサー１８０における垂直方向の結像位置の調整を使用者に行わせるような構成であってもよい。
【００７７】
また、実施の形態１では、３Ｄコンバージョンレンズ５００の取付状態の調整時に左目用画像と右目用画像とを重畳した画像を表示するよう液晶モニタ２７０を制御した。しかしながら、必ずしもこのような構成には限定されない。例えば、３Ｄ画像を再生し、液晶モニタ２７０に表示させる際に、左目用画像と右目用画像とを重畳した画像を表示するよう液晶モニタ２７０を制御してもよい。これにより、左目用画像と右目用画像との視差がどの程度であるかを２Ｄ対応の液晶モニタ上で使用者に認識させることができる。
【００７８】
本実施形態では、上述のように、３Ｄコンバージョンレンズ５００の取付状態の調整時に液晶モニタ２７０に左目用画像と右目用画像とを重畳（合成）した画像を表示する。この重畳（合成）の態様の一例として図１２（ｄ）を示したが、２つの画像が同時に表示され、液晶モニタ２７０上において左目用画像及び右目用画像の垂直方向の位置がそれぞれ認識可能である限り、如何なる態様であってもよい。例えば、半透明な左目用画像と右目用画像を重ねて表示してもよい。また、不透明な左目用画像と右目用画像を重ねて表示してもよい。なお、左目用画像と右目用画像の重畳は、両画像を合成することにより行うこともできる。
【産業上の利用可能性】
【００７９】
本発明は、デジタルビデオカメラやデジタルスチルカメラ等の撮像装置に適用できる。
【符号の説明】
【００８０】
１００  デジタルビデオカメラ
１１０  ズームレンズ
１２０  検出器
１３０  ズームモータ
１４０  ＯＩＳ
１５０  ＯＩＳアクチュエータ
１６０  検出器
１７０  フォーカスレンズ
１８０  ＣＣＤイメージセンサー
１９０  画像処理部
２００  メモリ
２１０  コントローラー
２２０  ジャイロセンサー
２３０  カードスロット
２４０  メモリカード
２５０  操作部材
２６０  ズームレバー
２７０  液晶モニタ
２８０  内部メモリ
【図１】
2012014355.tif 000003
【図２】
2012014355.tif 000004
【図３】
2012014355.tif 000005
【図４】
2012014355.tif 000006
【図５】
2012014355.tif 000007
【図６】
2012014355.tif 000008
【図７】
2012014355.tif 000009
【図８】
2012014355.tif 000010
【図９Ａ】
2012014355.tif 000011
【図９Ｂ】
2012014355.tif 000012
【図１０】
2012014355.tif 000013
【図１１】
2012014355.tif 000014
【図１２】
2012014355.tif 000015
【図１３】
2012014355.tif 000016
【図１４】
2012014355.tif 000017
【図１５】
2012014355.tif 000018
【図１６】
2012014355.tif 000019
【手続補正書】
【提出日】平成25年3月1日(2013.3.1)
【手続補正１】
【補正対象書類名】明細書
【補正対象項目名】全文
【補正方法】変更
【補正の内容】
【発明の詳細な説明】
【技術分野】
【０００１】
本発明は撮像装置に関し、特に、３Ｄコンバージョンレンズを取り付け可能な撮像装置に関する。
【背景技術】
【０００２】
特許文献１は、３Ｄアダプタ（立体画像撮像用カメラレンズアダプタ）と、そのアダプタを取り付け可能な撮像装置とを開示している。この撮像装置は、取り付けられた３Ｄアダプタを光軸を中心として回転させることにより、３Ｄアダプタの取り付け状態を調整できる。この撮像装置においては、３Ｄアダプタの取り付け状態を調整する際、スリットの入ったアダプタキャップを３Ｄアダプタに取り付けて調整を行うように構成されている。
【０００３】
この状態で被写体像を撮像することにより、使用者は、３Ｄアダプタが撮像装置に対して光軸を中心としてどれだけ回転した状態にあるかを、撮像した像の回転状態により認識できる。
【先行技術文献】
【特許文献】
【０００４】
【特許文献１】特開２００３−５０４３８号公報
【発明の概要】
【発明が解決しようとする課題】
【０００５】
上記特許文献１に開示されている撮像装置では、左目用画像及び右目用画像の撮像素子上での結像位置を調整する際、左目用画像と右目用画像が横方向に並べられた状態となっているので、両画像の垂直方向の位置ずれを精度よく認識しにくい。また、特許文献１の３Ｄアダプタでは、その構造上、左目用画像及び右目用画像の撮像素子上での結像位置を調整する際、左目用画像及び右目用画像の両方が同時に反対方向に動くため、微妙な調整が困難である。このように、特許文献１の撮像装置では、３Ｄアダプタの取り付け状態の精度のよい調整は困難である。
【０００６】
本発明は、３Ｄアダプタの取り付け状態の調整を高精度に行うことができる撮像装置を提供することを目的とする。
【課題を解決するための手段】
【０００７】
第１の態様の撮像装置は、左目用の画像を形成するための光と右目用の画像を形成するための光とを集光可能な光学系を有する３Ｄアダプタを接続可能であり、光学系の調整を行うための調整モードに設定可能な撮像装置であって、３Ｄアダプタを介して集光された光に基づいて形成された画像を撮像する撮像手段と、撮像手段により撮像された画像を表示する表示手段と、を備え、表示手段は、自装置が調整モードに設定されている際、撮像手段により撮像された左目用の画像と右目用の画像とを重畳して表示する。
【０００８】
第２の態様の撮像装置は、左目用の画像を形成するための光と右目用の画像を形成するための光とを集光可能な光学系を有する３Ｄアダプタを接続可能であり、光学系の調整を行う調整モードに設定可能な撮像装置であって、３Ｄアダプタを介して集光された光に基づいて形成された画像を撮像する撮像手段と、を備え、調整モードには、左目用の画像、及び右目用の画像の何れか一方の画像が形成される位置を調整するための第１のモードと、第１のモードにおいて調整された一方の画像が形成される垂直方向の位置に対して、他方の画像が形成される垂直方向の位置を揃えるための第２のモードと、が含まれる。
【発明の効果】
【０００９】
第１の態様の撮像装置によれば、３Ｄアダプタの取り付け状態の調整時、撮像手段により撮像された左目用の画像と右目用の画像とが重畳して表示されるので、調整に際し、左目用の画像の結像位置と右目用の画像の結像位置のずれを使用者が認識しやすい。したがって、３Ｄアダプタの取り付け状態の調整を高精度に行うことができる。
【００１０】
第２の態様の撮像装置によれば、３Ｄアダプタの取り付け状態の調整時、左目用の画像と右目用の画像の両方について垂直方向の位置を個別に調整できる。したがって、３Ｄアダプタの取り付け状態の調整を高精度に行うことができる。
【図面の簡単な説明】
【００１１】
【図１】デジタルビデオカメラ１００に３Ｄコンバージョンレンズ５００を取り付けた状態を示す斜視図
【図２】デジタルビデオカメラ１００から３Ｄコンバージョンレンズ５００を取り外した状態を示す斜視図
【図３】３Ｄコンバージョンレンズ５００及びデジタルビデオカメラ１００の光学系の構成を示す模式図
【図４】３Ｄコンバージョンレンズ５００を取り付けた状態のデジタルビデオカメラ１００が撮像する画像データを説明するための模式図
【図５】調整機構格納部５３０を開放した状態で調整機構格納部５３０内を上方から見た上面図
【図６】レンズキャップ５７０を内側から見た状態を示す斜視図、及びレンズキャップ５７０を外側から見た状態を示す斜視図
【図７】レンズキャップ５７０をレンズキャップ取付部５２０に取り付けた際に、レンズキャップ取付部５２０に対向する面から見たレンズキャップ５７０の構成を示す模式図
【図８】デジタルビデオカメラ１００の構成を示すブロック図
【図９Ａ】デジタルビデオカメラ１００が３Ｄコンバージョンレンズ５００の取り付けを検出した場合の動作を示すフローチャート
【図９Ｂ】デジタルビデオカメラ１００の電源をＯＦＦした場合の動作を示すフローチャート
【図１０】初期設定時の液晶モニタ２７０の表示内容を説明するための模式図
【図１１】３Ｄコンバージョンレンズ５００の調整をするかを問い合わせる際の液晶モニタ２７０の表示内容を説明するための模式図
【図１２】３Ｄコンバージョンレンズ５００の調整時の液晶モニタ２７０の表示内容を説明するための模式図
【図１３】デジタルビデオカメラ１００における電源ＯＮ時の動作を説明するためのフローチャート
【図１４】電源ＯＦＦ時及びこの電源ＯＦＦの後の電源ＯＮ時の両方において３Ｄレンズが取り付けられていることが検出されたときの液晶モニタ２７０の表示内容を説明するための模式図
【図１５】左目用画像の垂直方向の位置と右目用画像の垂直方向の位置とを調整する際の液晶モニタ２７０の表示の模式図
【図１６】左目用画像の垂直方向の位置と右目用画像の垂直方向の位置とを調整する際の液晶モニタ２７０の表示の模式図
【発明を実施するための形態】
【００１２】
１．実施の形態１
本発明をデジタルビデオカメラに適用した場合の実施の形態１について図面を用いて説明する。
【００１３】
１−１．概要
本実施の形態にかかるデジタルビデオカメラ１００の概要について図１〜３を用いて説明する。図１は、デジタルビデオカメラ１００に３Ｄコンバージョンレンズ５００を取り付けた状態を示す斜視図である。図２は、デジタルビデオカメラ１００から３Ｄコンバージョンレンズ５００を取り外した状態を示す斜視図である。
【００１４】
図１に示すように、デジタルビデオカメラ１００は、３Ｄコンバージョンレンズ５００を取り付けるための取付部６４０を有している。取付部６４０は、内側に雌ネジを有している。一方、３Ｄコンバージョンレンズ５００は、取付部６４０が有する雌ネジに係合する雄ネジを有している。使用者は、３Ｄコンバージョンレンズ５００が有する雄ネジを取付部６４０が有する雌ネジに係合させることで、３Ｄコンバージョンレンズ５００をデジタルビデオカメラ１００に取り付けることができる。なお、デジタルビデオカメラ１００は、３Ｄコンバージョンレンズ５００が取り付けられたことを検出スイッチ８００（後述する図８参照）により磁気的に検出できる。
【００１５】
図３は、３Ｄコンバージョンレンズ５００の光学系５０１及びデジタルビデオカメラ１００の光学系１０１の構成を説明した図である。３Ｄコンバージョンレンズ５００の光学系５０１は、３Ｄ（three dimensions）画像における右目用の像を形成するための光を導入する右目用レンズ６００と、左目用の像を形成するための光を導入する左目用レンズ６２０と、右目用レンズ６００及び左目用レンズ６２０に導入された光をデジタルビデオカメラ１００の光学系１０１に導くための左目用と右目用とが一体化された共用レンズ６１０とを有する。３Ｄコンバージョンレンズ５００の右目用レンズ６００及び左目用レンズ６２０に入射した光は、それぞれ共用レンズ６１０を介してデジタルビデオカメラ１００の光学系１０１に導入され、デジタルビデオカメラ１００のＣＣＤイメージセンサー１８０（後述する図８参照）に、例えば図４に示すようなサイドバイサイド形式の画像として結像される。右目用レンズ６００及び左目用レンズ６２０は、３Ｄコンバージョンレンズ５００内で個別に上下左右に（光軸に対して垂直な方向に）移動可能に構成されている。
【００１６】
図１に戻り、３Ｄコンバージョンレンズ５００は、調整機構格納部５３０を有する。調整機構格納部５３０内には後述する水平調整ダイヤル、第１垂直調整ダイヤル、第２垂直調整ダイヤル等の調整ダイヤルが格納されている。
【００１７】
使用者は、各種調整ダイヤルを操作することにより、右目用レンズ６００及び左目用レンズ６２０の３Ｄコンバージョンレンズ５００内での位置をそれぞれ調整できる。右目用レンズ６００及び左目用レンズ６２０の３Ｄコンバージョンレンズ５００内での位置がそれぞれ調整されると、３Ｄコンバージョンレンズ５００に入射した光は、デジタルビデオカメラ１００のＣＣＤイメージセンサー１８０上に上記調整の内容に応じた位置で結像される。
【００１８】
本実施の形態にかかるデジタルビデオカメラ１００は、３Ｄコンバージョンレンズ５００の取り付け後の調整を容易に行うための機能を有する。
【００１９】
１−２．調整ダイヤル
調整機構格納部５３０に収納されている各種調整ダイヤルについて図５を用いて説明する。図５は、調整機構格納部５３０を開放した状態で調整機構格納部５３０内を上方から見た上面図である。調整機構格納部５３０内には、水平調整ダイヤル５４０、第１垂直調整ダイヤル５５０、及び第２垂直調整ダイヤル５６０が収納されている。水平調整ダイヤル５４０は、右目用レンズ６００及び左目用レンズ６２０の水平方向の位置を調整するためのダイヤルである。第１垂直調整ダイヤル５５０は、右目用レンズ６００及び左目用レンズ６２０の垂直方向の位置を調整するためのダイヤルである。第２垂直調整ダイヤル５６０は、左目用レンズ６２０の垂直方向の位置を調整するためのダイヤルである。水平調整ダイヤル５４０、第１垂直調整ダイヤル５５０及び第２垂直調整ダイヤル５６０は、ギヤ形状をしている。水平調整ダイヤル５４０、及び第２垂直調整ダイヤル５６０は、矢印方向と垂直な方向に設けられた不図示の軸により矢印方向に回転可能に保持されている。使用者は、水平調整ダイヤル５４０、及び第２垂直調整ダイヤル５６０を矢印方向に回転操作できる。また、第１垂直調整ダイヤル５５０は、調整機構格納部５３０の面の法線方向に設けられた軸により矢印方向（すなわち、円周方向）に回転可能に保持されている。使用者は、第１垂直調整ダイヤル５５０を矢印方向に回転操作できる。
【００２０】
使用者により水平調整ダイヤル５４０が操作されると、右目用レンズ６００及び左目用レンズ６２０は、３Ｄコンバージョンレンズ５００内において水平方向に移動する。使用者により第１垂直調整ダイヤル５５０が操作されると、右目用レンズ６００と左目用レンズ６２０とは、３Ｄコンバージョンレンズ５００内において垂直方向に移動する。使用者により第２垂直調整ダイヤル５６０が操作されると、左目用レンズ６２０は、３Ｄコンバージョンレンズ５００内において垂直方向に移動する。
【００２１】
このような構成により、使用者は、水平調整ダイヤル５４０、第１垂直調整ダイヤル５５０及び第２垂直調整ダイヤル５６０を操作することにより、右目用レンズ６００及び左目用レンズ６２０を介して入射する光のＣＣＤイメージセンサー１８０上における結像位置を調整できる。
【００２２】
１−３．レンズキャップの構成
本実施の形態では、３Ｄコンバージョンレンズ５００にレンズキャップ５７０が装着可能である。特に、このレンズキャップ５７０は、３Ｄコンバージョンレンズ５００に装着された状態において３Ｄコンバージョンレンズ５００の光学系５０１の調整を行うことを可能とする。以下、このレンズキャップ５７０について図６、図７を用いて説明する。レンズキャップ５７０は、レンズキャップ取付部５２０に取り付け可能である。図６（ａ）は、レンズキャップ５７０を内面側から見た状態を示す斜視図である。図６（ｂ）は、レンズキャップ５７０を外面側から見た状態を示す斜視図である。図７は、レンズキャップ５７０をレンズキャップ取付部５２０に取り付けた際に、レンズキャップ取付部５２０に対向する面から見たレンズキャップ５７０の構成を示す模式図である。
【００２３】
レンズキャップ５７０の内面には、３Ｄコンバージョンレンズ５００に対する取り付け位置を規定するとともに、レンズキャップ５７０の３Ｄコンバージョンレンズ５００に対する回転を防止するための構造が設けられている。具体的には、レンズキャップ５７０の内面の左右には突起６８０が形成されている。また、３Ｄコンバージョンレンズ５００の先端部外周の左右には、図１に示すように、溝６７０が設けられている。そして、レンズキャップ５７０を３Ｄコンバージョンレンズ５００に取り付けるときに、レンズキャップ５７０の突起６８０と３Ｄコンバージョンレンズ５００の溝６７０とを係合させる。これにより、レンズキャップ５７０の３Ｄコンバージョンレンズ５００に対する取り付け位置が規定されるとともに、レンズキャップ５７０の３Ｄコンバージョンレンズ５００に対する回転を防止することができる。
【００２４】
レンズキャップ５７０には、図６（ａ）、図７に示すようなパターンが付されている。具体的には、レンズキャップ５７０には、水平方向に延びる直線からなる基準線５８０が付されている。また、レンズキャップ５７０には、基準線５８０に線対称に配置された２つの三角形からなるパターン５９０が付されている。また、このパターン５９０は、基準線５８０の中点を中心として左右対称に配置されている。領域６１０は、光を透過する樹脂で構成されている。従って、レンズキャップ５７０をレンズキャップ取付部５２０に取り付けた状態で、デジタルビデオカメラ１００は、図７に示す模様を撮像できる。パターン５９０は、２つの三角形からなるパターンであるので、斜め方向に延びる線を有している。そのため、パターン５９０は、コントラストＡＦ方式において合焦させやすいというメリットがある。なお、斜め方向に延びる線を有していれば、パターンは三角形である必要はない。
【００２５】
１−４．デジタルビデオカメラの電気的構成
本実施の形態にかかるデジタルビデオカメラ１００の電気的構成について、図８を用いて説明する。図８は、デジタルビデオカメラ１００の構成を示すブロック図である。デジタルビデオカメラ１００は、光学系１０１、ＣＣＤイメージセンサー１８０、画像処理部１９０、液晶モニタ２７０、検出器１２０、ズームモータ１３０、ＯＩＳアクチュエータ１５０、検出器１６０、メモリ２００、ズームレバー２６０、操作部材２５０、内部メモリ２８０、ジャイロセンサー２２０、及びカードスロット２３０を有する。デジタルビデオカメラ１００は、光学系１０１により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００２６】
デジタルビデオカメラ１００の光学系１０１は、ズームレンズ１１０、ＯＩＳ１４０、フォーカスレンズ１７０を含む。ズームレンズ１１０は、光学系１０１の光軸に沿って移動することにより、被写体像を拡大又は縮小可能である。また、フォーカスレンズ１７０は、光学系１０１の光軸に沿って移動することにより、被写体像のピントを調整する。
【００２７】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００２８】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００２９】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。検出器１６０は、ＯＩＳ１４０内における補正レンズの移動量を検出する。
【００３０】
ＣＣＤイメージセンサー１８０は、ズームレンズ１１０等からなる光学系１０１で形成された被写体像を撮像して、映像データを生成する。ＣＣＤイメージセンサー１８０は、露光、転送、電子シャッタなどの各種動作を行う。
【００３１】
画像処理部１９０は、ＣＣＤイメージセンサー１８０で生成された映像データに対して各種の処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００３２】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００３３】
メモリ２００は、画像処理部１９０及びコントローラー２１０のワークメモリとして機能する。メモリ２００は、例えば、ＤＲＡＭ、強誘電体メモリなどで実現できる。
【００３４】
液晶モニタ２７０は、ＣＣＤイメージセンサー１８０で生成された映像データが示す画像や、メモリカード２４０から読み出した映像データが示す画像を表示可能である。また、液晶モニタ２７０上にはタッチパネルが設けられている。使用者は、液晶モニタ２７０上に表示されたアイコンをタッチすることで、デジタルビデオカメラ１００を操作できる。
【００３５】
ジャイロセンサー２２０は、圧電素子等の振動材等で構成される。ジャイロセンサー２２０は、圧電素子等の振動材を一定周波数で振動させたときのコリオリ力による力を電圧に変換して角速度情報を得る。デジタルビデオカメラ１００は、ジャイロセンサー２２０から角速度情報を得て、この揺れを相殺する方向にＯＩＳ内の補正レンズを駆動させることにより、使用者による手振れを補正する。
【００３６】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００３７】
内部メモリ２８０は、フラッシュメモリや強誘電体メモリなどで構成される。内部メモリ２８０は、デジタルビデオカメラ１００全体を制御するための制御プログラム等を格納する。
【００３８】
操作部材２５０は、使用者から操作を受け付ける部材である。ズームレバー２６０は、使用者からズーム倍率の変更指示を受け付ける部材である。
【００３９】
検出スイッチ８００は、３Ｄコンバージョンレンズ５００がデジタルビデオカメラ１００に取り付けられたことを磁気的に検出できる。検出スイッチ８００は、３Ｄコンバージョンレンズ５００が取り付けられたことを検出すると、その旨の信号をコントローラー２１０に通知する。これにより、コントローラー２１０は、デジタルビデオカメラ１００に３Ｄコンバージョンレンズ５００が取り付けられたこと、及び取り外されたことを検出できる。
【００４０】
１−５．本発明との対応
３Ｄコンバージョンレンズ５００は、３Ｄコンバージョンレンズの一例である。ＣＣＤイメージセンサー１８０は、撮像手段の一例である。液晶モニタ２７０は、表示手段の一例である。コントローラー２１０は、３Ｄコンバージョンレンズの光学系の位置を調整するための制御を行う調整手段の一例である。
【００４１】
１−６．動作
１−６−１．３Ｄコンバージョンレンズが取り付けられていることを検出した場合の動作
デジタルビデオカメラ１００が、３Ｄコンバージョンレンズ５００が取り付けられたことを検出した場合の動作について図９Ａ〜図１２を用いて説明する。図９Ａは、デジタルビデオカメラ１００が、３Ｄコンバージョンレンズ５００が取り付けられていることを検出した場合の動作を示すフローチャートである。図９Ｂは、デジタルビデオカメラ１００の電源をＯＦＦした場合の動作を示すフローチャートである。図１０は、初期設定時の液晶モニタ２７０の表示内容を説明するための模式図である。図１１は、３Ｄコンバージョンレンズ５００の調整をするかを問い合わせる際の液晶モニタ２７０の表示内容を説明するための模式図である。図１２は、３Ｄコンバージョンレンズ５００の調整時の液晶モニタ２７０の表示内容を説明するための模式図である。
【００４２】
使用者により３Ｄコンバージョンレンズ５００がデジタルビデオカメラ１００に取り付けられると、コントローラー２１０は、検出スイッチ８００からの検出信号に基づき、３Ｄコンバージョンレンズ５００が取り付けられたことを検出する（Ｓ１００）。３Ｄコンバージョンレンズ５００が取り付けられたことを検出すると、コントローラー２１０は、図１０に示すメッセージを表示するよう液晶モニタ２７０を制御する（Ｓ１１０）。具体的には、「３Ｄ撮影の初期設定を行っています。」とのメッセージを表示する。また、液晶モニタ２７０にメッセージを表示させるのに併せて、コントローラー２１０は、３Ｄモードにおける初期設定を開始するようデジタルビデオカメラ１００を制御する（Ｓ１１０）。具体的には、コントローラー２１０は、初期設定として、ズームレンズ１１０を望遠端に移動させたり、画像処理の方法を２Ｄ画像の撮影モードとは異なる方法にするよう設定したりする。なお、図１０に表示したメッセージは一例である。メッセージの内容は、同様の主旨である限り異なる内容でも構わない。図１１、図１２、図１４においても同様である。
【００４３】
初期設定が完了すると、コントローラー２１０は、図１１に示すメッセージを表示するよう液晶モニタ２７０を制御する（Ｓ１２０）。具体的には、コントローラー２１０は、例えば「３Ｄコンバージョンレンズ５００の調整をしますか？  調整する場合にはレンズキャップを取り付けてください」というように、３Ｄコンバージョンレンズ５００の位置調整を行うかを問合せて、調整する場合にはレンズキャップを取り付けるよう促すメッセージを表示する。また、コントローラー２１０は、図１１に示すようなＯＳＤを表示するよう液晶モニタ２７０を制御する。具体的には、コントローラー２１０は、水平方向基準線９１０及び垂直方向基準線９００を表示するよう液晶モニタ２７０を制御する。また、コントローラー２１０は、使用者による操作を受け付けるための「調整」を示すＯＳＤ９２０、及び「終了」を示すＯＳＤ９３０を表示するよう液晶モニタ２７０を制御する。
【００４４】
図１１に示される画像を表示するよう液晶モニタ２７０を制御すると、コントローラー２１０は、使用者により「調整」を示すＯＳＤ９２０がタッチされるか、「終了」を示すＯＳＤ９３０がタッチされるまで待機する（Ｓ１３０）。
【００４５】
使用者により「終了」を示すＯＳＤ９３０が選択されると、コントローラー２１０は、撮影モードに移行し（Ｓ１４０）、使用者から撮影開始指示を受け付けるまで待機する。一方、図１１に示される画像を表示している際に、使用者により「調整」を示すＯＳＤ９２０が選択されると、コントローラー２１０は、調整モードに移行する。この調整モードは、左目用の画像、及び右目用の画像の何れか一方の画像が形成される位置を調整するための第１の調整モードと、第１のモードにおいて調整された一方の画像が形成される垂直方向の位置に対して、他方の画像が形成される垂直方向の位置を揃えるための第２のモードとを含む。本実施の形態では、第１のモードにおいて右目用の画像が形成される位置を調整し、第２のモードにおいて左目用の画像が形成される垂直方向の位置を調整する場合について説明するが、第１のモードにおいて左目用の画像が形成される位置を調整し、第２のモードにおいて右目用の画像が形成される垂直方向の位置を調整してもよい。
【００４６】
まず、コントローラー２１０は、第１の調整モードを実行する。すなわち、図１２（ａ）に示される画像を表示するよう液晶モニタ２７０を制御する（Ｓ１５０）。なお、使用者は、３Ｄコンバージョンレンズ５００の位置を調整するときに、図１１に示される画像を認識した後、レンズキャップ５７０をデジタルビデオカメラ１００に取り付けるものとする。具体的には、コントローラー２１０は、垂直方向基準線９４０を２本表示するよう液晶モニタ２７０を制御する。また、コントローラー２１０は、ＣＣＤイメージセンサー１８０により撮像された左目用の画像９７０Ｌ及び右目用の画像９７０Ｒを表示するよう液晶モニタ２７０を制御する。また、コントローラー２１０は、「水平方向に調整して下さい。」というメッセージを表示するよう液晶モニタ２７０を制御する。使用者は、水平調整ダイヤル５４０を操作することにより、左目用の画像９７０Ｌと右目用の画像９７０Ｒを移動させ、これにより、これらの画像９７０Ｌと９７０Ｒの間に存在する領域である領域９５０を水平方向に移動できる。使用者は、領域９５０を２本の垂直方向基準線９４０の間に移動させることで、右目用レンズ６００及び左目用レンズ６２０の水平方向の位置を調整できる。また、デジタルビデオカメラ１００は、パターン５９０を撮像している。デジタルビデオカメラ１００は、コントラスト方式のＡＦによりパターン５９０に合焦させることができる。その結果、デジタルビデオカメラ１００は、基準線５８０にも合焦させることができる。
【００４７】
図１２（ａ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ１６０）。
【００４８】
使用者により「戻る」を示すＯＳＤ９８０がタッチされると、コントローラー２１０は、再度図１１に示される画像を表示するよう液晶モニタ２７０を制御する（Ｓ１２０に戻る）。一方、「次へ」を示すＯＳＤ９９０がタッチされると、コントローラー２１０は、図１２（ｂ）に示される画像を表示するよう液晶モニタ２７０を制御する（Ｓ１７０）。具体的には、コントローラー２１０は、水平方向基準線９６０を２本表示するよう液晶モニタ２７０を制御する。また、コントローラー２１０は、ＣＣＤイメージセンサー１８０により撮像された画像のうち右目用の画像９７０Ｒのみを表示するよう液晶モニタ２７０を制御する。右目用の画像９７０Ｒのみを表示するのは、右目用の画像９７０Ｒと左目用の画像９７０Ｌの両方を表示すると、使用者がどちらの画像について調整すればよいかわからなくなる虞があるからである。また、コントローラー２１０は、「垂直方向に調整して下さい。」というメッセージを表示するよう液晶モニタ２７０を制御する。使用者は、第２垂直調整ダイヤル５６０を操作することにより、右目用の画像９７０Ｒを垂直方向に移動できる。使用者は、基準線５８０を２本の水平方向基準線９６０の間に移動させることで、右目用レンズ６００の垂直方向の位置を調整できる。
【００４９】
図１２（ｂ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ１８０）。
【００５０】
使用者により「戻る」を示すＯＳＤ９８０がタッチされると、コントローラー２１０は、再度図１２（ａ）に示される画像を表示するよう液晶モニタ２７０を制御する（Ｓ１５０に戻る）。一方、「次へ」を示すＯＳＤ９９０がタッチされると、コントローラー２１０は、第２の調整モードを実行する。すなわち、コントローラー２１０は、図１２（ｃ）に示される画像を表示するよう液晶モニタ２７０を制御する（Ｓ１９０）。具体的には、コントローラー２１０は、「レンズキャップを外してください。１．２ｍ〜２．０ｍ離れた被写体を写してください」というメッセージを表示するよう液晶モニタ２７０を制御する。
【００５１】
図１２（ｃ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ２００）。
【００５２】
使用者により「戻る」を示すＯＳＤ９８０がタッチされると、コントローラー２１０は、再度図１２（ｂ）に示される画像を表示するよう液晶モニタ２７０を制御する（Ｓ１７０に戻る）。一方、「次へ」を示すＯＳＤ９９０がタッチされると、コントローラー２１０は、図１２（ｄ）に示される画像を表示するよう液晶モニタ２７０を制御する（Ｓ２１０）。具体的には、コントローラー２１０は、左目用の画像９９５Ｌと、右目用の画像９９５Ｒとを水平方向、及び垂直方向に液晶モニタ２７０の画素数に対応する大きさまで引き伸ばし、それぞれの画像を重畳して表示するよう液晶モニタ２７０を制御する。また、コントローラー２１０は、「画像の垂直方向のズレを調整して下さい。」というメッセージを表示するよう液晶モニタ２７０を制御する。使用者は、第２垂直調整ダイヤル５６０を操作することにより、左目用の画像９９５Ｌを垂直方向に移動できる。使用者は、左目用の画像９９５Ｌの垂直方向の位置を右目用の画像９９５Ｒの垂直方向の位置に移動させることで、左目用レンズ６２０の垂直方向の位置を調整できる。つまり、使用者は、このようにすることで、ＣＣＤイメージセンサー１８０に対する３Ｄコンバージョンレンズ５００の傾きにより生じる左目用画像９９５Ｌと右目用画像９９５Ｒとの垂直方向のズレを調整できる。３Ｄコンバージョンレンズ５００がデジタルビデオカメラ１００に対して傾いた状態で取り付けられると、撮像された画像も傾くこととなるが、この傾きは、使用者が画像を視認する際、左目用の画像と右目用の画像の上下方向のずれとなる。その結果、３Ｄ画像を視る使用者を疲れさせる。しかし、本実施形態では、上記のような構成を採用したことにより、このような不具合を防止することができる。
【００５３】
図１２（ｄ）に示される画像を表示するよう液晶モニタ２７０を制御すると、コントローラー２１０は、使用者により「次へ」を示すＯＳＤ９９０がタッチされるか、「戻る」を示すＯＳＤ９８０がタッチされるまで待機する（Ｓ２２０）。
【００５４】
使用者により「戻る」を示すＯＳＤ９８０がタッチされると、コントローラー２１０は、再度図１２（ｃ）に示される画像を表示するよう液晶モニタ２７０を制御する（Ｓ１９０）。一方、「次へ」を示すＯＳＤ９９０がタッチされると、コントローラー２１０は、撮影モードに移行するようデジタルビデオカメラ１００全体を制御する（Ｓ２３０）。
【００５５】
１−６−２  電源ＯＦＦ時の動作
撮影モードに移行後、コントローラー２１０は、使用者によりデジタルビデオカメラ１００の電源をＯＦＦする指示がなされたかを判断する（Ｓ２４０）。使用者により電源をＯＦＦする指示がなされたと判断すると、コントローラー２１０は、デジタルビデオカメラ１００に３Ｄコンバージョンレンズ５００が取り付けられているか否かを判断する（Ｓ２５０）。３Ｄコンバージョンレンズ５００が取り付けられていないと判断すると、コントローラー２１０は、電源ＯＦＦ時に３Ｄコンバージョンレンズ５００が取り付けられていない旨を示す情報（例えば、取り付けられていないことを示すフラグ）を内部メモリ２８０に記録する（Ｓ２６０）。一方、３Ｄコンバージョンレンズ５００が取り付けられていると判断すると、コントローラー２１０は、電源ＯＦＦ時に３Ｄコンバージョンレンズ５００が取り付けられている旨を示す情報（例えば、取り付けられていることを示すフラグ）を内部メモリ２８０に記録する（Ｓ２７０）。電源ＯＦＦ時の３Ｄコンバージョンレンズ５００の着脱状態に関する情報を内部メモリ２８０に記録すると、コントローラー２１０は、電源をＯＦＦするようデジタルビデオカメラ１００全体を制御する（Ｓ２８０）。
【００５６】
１−６−３．電源ＯＮ時の動作
デジタルビデオカメラ１００における電源ＯＮ時の動作について図１３を用いて説明する。図１３は、デジタルビデオカメラ１００における電源ＯＮ時の動作を説明するためのフローチャートである。
【００５７】
使用者による電源ＯＮの操作を受け付けると（Ｓ３００）、コントローラー２１０は検出スイッチ８００からの検出信号に基づき、電源ＯＮ時に３Ｄコンバージョンレンズ５００が取り付けられているか否かを判断する（Ｓ３１０）。３Ｄコンバージョンレンズ５００が取り付けられていないと判断すると、コントローラー２１０は、２Ｄ撮影モードに移行するようデジタルビデオカメラ１００全体を制御する（Ｓ３２０）。一方、３Ｄコンバージョンレンズ５００が取り付けられていると判断すると、コントローラー２１０は、内部メモリ２８０内に前回の電源ＯＦＦ時に３Ｄコンバージョンレンズ５００が取り付けられていた旨の情報が記憶されているか否かを判断する（Ｓ３３０）。
【００５８】
電源ＯＮ時に３Ｄコンバージョンレンズ５００が取り付けられている状態において、この電源ＯＮの前の電源ＯＦＦ時に３Ｄコンバージョンレンズ５００が取り付けられていた旨の情報が記憶されていると判断すると、コントローラー２１０は、警告を表示する（Ｓ３４５）。図１４は、電源ＯＦＦ時及びこの電源ＯＦＦの後の電源ＯＮ時の両方において３Ｄコンバージョンレンズ５００が取り付けられていることが検出されたときの液晶モニタ２７０の表示内容を説明した図である。具体的には、「前回使用時と今回使用時との間に３Ｄコンバージョンレンズ５００を取り外した場合は、３Ｄコンバージョンレンズ５００の調整を行ってください。」と調整を促す警告表示を行う。内部メモリ２８０内に前回の電源ＯＦＦ時に３Ｄコンバージョンレンズ５００が取り付けられていた旨の情報が記憶されており、かつ今回の電源ＯＮ時に３Ｄコンバージョンレンズ５００が取り付けられていると判断された場合であっても、電源ＯＦＦ状態の間に３Ｄコンバージョンレンズ５００が一旦取り外され、その後再度取り付けられている可能性がある。このような場合、３Ｄコンバージョンレンズ５００の取り付け状態が適切でない可能性がある。そこで、電源ＯＦＦ時及びこの電源ＯＦＦの後の電源ＯＮ時の両方において３Ｄコンバージョンレンズ５００が取り付けられていることが検出された場合であっても、３Ｄコンバージョンレンズ５００の調整を促す警告表示を行う。
【００５９】
警告表示から例えば所定時間経過後、コントローラー２１０は、３Ｄの撮影モードに移行するようデジタルビデオカメラ１００全体を制御する（Ｓ３５０）。一方、ステップＳ３３０において、３Ｄコンバージョンレンズ５００が取り付けられていなかった旨の情報が記憶されていると判断すると、コントローラー２１０は、図９ＡにおけるステップＳ１００に移行し（Ｓ３４０）、以後、図９Ａのフローチャートに示す処理を行う。なお、ステップＳ３４５とステップＳ３５０との間に使用者による調整要否の判定を行うステップを設け、使用者により調整要の判定がなされた場合は、ステップＳ１００に移行して以後の処理を行い、一方、使用者により調整不要の判定がなされた場合は、ステップＳ３５０に移行するようにしてもよい。
【００６０】
１−７．まとめ
このように本実施の形態にかかるデジタルビデオカメラ１００は、３Ｄコンバージョンレンズ５００内の光学系の調整を行う際、具体的には左目用の画像９９５Ｌの垂直方向の結像位置と右目用の画像９９５Ｒの垂直方向の結像位置とのズレを使用者に調整させる際、図１２（ｄ）に示すように、ＣＣＤイメージセンサー１８０により撮像された左目用の画像９９５Ｌと右目用の画像９９５Ｒとを重畳して液晶モニタ２７０に表示する。これにより、使用者は、左目用の画像９９５Ｌの垂直方向の結像位置と右目用の画像９９５Ｒの垂直方向の結像位置とのズレを視覚的に認識できる。したがって、３Ｄコンバージョンレンズ５００の取り付け状態の調整を高精度に行うことができる。
【００６１】
また、本実施の形態にかかるデジタルビデオカメラ１００は、図１２（ａ）、図１２（ｂ）に示すように、一方の画像の結像位置を使用者に確定調整させた後に、他方の画像の結像位置を使用者に確定させる。これにより、使用者は、左目用の画像９９５Ｌの結像位置と右目用の画像９９５Ｒの結像位置とのズレを容易に調整できる。
【００６２】
また、本実施の形態にかかるデジタルビデオカメラ１００は、図１１に示すように、一方の画像の結像位置を使用者に確定させる際に、レンズキャップ５７０を取り付けるよう促すメッセージを液晶モニタ２７０に表示する。また、デジタルビデオカメラ１００は、他方の画像の結像位置を既に結像位置を確定した画像の結像位置との関係で使用者に調整させる際に、図１２（ｃ）に示すように、レンズキャップ５７０を取り外すよう促すメッセージを液晶モニタ２７０に表示する。これは、以下の理由による。仮に３Ｄコンバージョンレンズ５００がＣＣＤイメージセンサー１８０に対して傾いていたとすると、レンズキャップ５７０も３Ｄコンバージョンレンズ５００と共に、ＣＣＤイメージセンサー１８０に対して傾いてしまう。この傾いた状態では、ＣＣＤイメージセンサー１８０で撮像された左右の三角形のパターン５９０の垂直方向の位置にズレが生じる。このようにずれた状態において、左右の三角形のパターン５９０の垂直方向のズレがなくなるように調整すると、レンズキャップ５７０を取り外した状態で被写体を撮影したときに、被写体の垂直方向の位置がずれることとなる。したがって、ＣＣＤイメージセンサー１８０に対する３Ｄコンバージョンレンズ５００の傾きにより生じる左目用画像と右目用画像との垂直方向のズレの調整は、レンズキャップ５７０を取り外した状態で行う必要がある。そこで、ＣＣＤイメージセンサー１８０に対する３Ｄコンバージョンレンズ５００の傾きにより生じる左目用画像と右目用画像との垂直方向のズレを調整する際には、レンズキャップ５７０を取り外すように使用者に促す。これにより、上記のように３Ｄコンバージョンレンズ５００がＣＣＤイメージセンサー１８０に対して傾いてしまうという不具合を防止しつつ、左目用画像と右目用画像との垂直方向のズレを使用者に正確に調整させることができる。これにより、使用者は、一方の画像の結像位置の確定を容易に行うことができ、かつ、他方の画像の結像位置を既に結像位置を確定した画像の結像位置との関係で容易に調整できる。
【００６３】
また、本実施の形態にかかるデジタルビデオカメラ１００は、電源ＯＦＦ時に３Ｄコンバージョンレンズ５００が取り付けられていたか否かを示す情報を内部メモリ２８０に記憶する。これにより、デジタルビデオカメラ１００は、電源ＯＮ時に前回の電源ＯＦＦ時に３Ｄコンバージョンレンズ５００が取り付けられていたか否かを認識できる。その結果、前回の電源ＯＦＦ時に３Ｄコンバージョンレンズ５００が取り付けられていた場合には図９ＡにおけるステップＳ１００からの制御、すなわち３Ｄコンバージョンレンズの取り付けが検出された場合の制御を行わない。これは、前回の電源ＯＦＦ時に３Ｄコンバージョンレンズ５００が取り付けられていた場合には、既に３Ｄコンバージョンレンズ５００の調整が完了している場合が多いからである。既に３Ｄコンバージョンレンズ５００の調整が完了しているにも関わらず、上記３Ｄコンバージョンレンズの取り付けが検出された場合の制御が行われると使用者にとって煩わしい。そこで、本実施の形態にかかるデジタルビデオカメラ１００は、前回の電源ＯＦＦ時に３Ｄコンバージョンレンズ５００が取り付けられていた場合には上記３Ｄコンバージョンレンズの取り付けが検出された場合の制御を行わないこととしている。
【００６４】
２．実施の形態２
本発明をデジタルビデオカメラに適用した実施の形態２について図面を用いて説明する。なお、実施の形態１と共通の部分については説明を省略する。実施の形態２にかかるデジタルビデオカメラは、実施の形態１にかかるデジタルビデオカメラにおける図１２（ｄ）の表示（左目用画像の垂直方向の位置と右目用画像の垂直方向の位置とを調整する際の表示）にかかる部分が異なる。以下、その点について説明する。
【００６５】
本実施の形態における左目用画像の垂直方向の位置と右目用画像の垂直方向の位置とを調整する際の液晶モニタ２７０の表示について図１５を用いて説明する。図１５は、左目用画像の垂直方向の位置と右目用画像の垂直方向の位置とを調整する際に液晶モニタ２７０に表示される画像を説明した図である。
【００６６】
本実施の形態にかかるデジタルビデオカメラ１００は、左目用画像の垂直方向の位置と右目用画像の垂直方向の位置とを使用者に揃えさせる際に、左目用画像を液晶モニタ２７０の画素数に対応する大きさに引き伸ばした画像と、右目用画像を液晶モニタ２７０の画素数に対応する大きさに引き伸ばした画像とを時間的に交互に液晶モニタ２７０に表示する。例えば、本実施の形態においては、左目用画像と右目用画像とを１／３０秒おきに交互に表示する。
【００６７】
使用者は、実施の形態１と同様、第２垂直調整ダイヤル５６０を操作することにより、左目用の画像を垂直方向に移動できる。使用者は、左目用の画像の垂直方向の位置を右目用の画像の垂直方向の位置に移動させることで、左目用レンズ６２０の垂直方向の位置を調整できる。これにより、使用者は、左目用の画像の結像位置と右目用の画像の結像位置とのズレを容易に調整できる。
【００６８】
３．実施の形態３
本発明をデジタルビデオカメラに適用した実施の形態３について図面を用いて説明する。なお、実施の形態１と共通の部分については説明を省略する。実施の形態３にかかるデジタルビデオカメラは、実施の形態１にかかるデジタルビデオカメラにおける図１２（ｄ）の表示（左目用画像の垂直方向の位置と右目用画像の垂直方向の位置とを調整する際の表示）にかかる部分が異なる。以下、その点について説明する。
【００６９】
本実施の形態における左目用画像の垂直方向の位置と右目用画像の垂直方向の位置とを調整する際の液晶モニタ２７０の表示について図１６を用いて説明する。図１６は、左目用画像の垂直方向の位置と右目用画像の垂直方向の位置とを調整する際の液晶モニタ２７０の表示の模式図である。
【００７０】
本実施の形態にかかるデジタルビデオカメラ１００は、左目用画像の垂直方向の位置と右目用画像の垂直方向の位置とを使用者に揃えさせる際に、左目用の画像を垂直方向に引き伸ばした画像９９７Ｌと右目用の画像を垂直方向に引き伸ばした画像９９７Ｒとを左右に並べて同時に液晶モニタ２７０に表示する。
【００７１】
使用者は、実施の形態１同様、第１垂直調整ダイヤル５５０を操作することにより、左目用の画像９９７Ｌを垂直方向に移動できる。使用者は、左目用の画像９９７Ｌの垂直方向の位置を右目用の画像９９７Ｒの垂直方向の位置に移動させることで、左目用レンズ６２０の垂直方向の位置を調整できる。これにより、使用者は、左目用の画像９９７Ｌの結像位置と右目用の画像９９７Ｒの結像位置とを容易に調整できる。
【００７２】
実施の形態３では、左目用の画像及び右目用の画像をそれぞれ垂直方向に引き伸ばしているので、垂直方向の位置の調整を行い易くなるとともに、調整精度を確保しやすくなる。
【００７３】
４．他の実施の形態
以上、本発明の実施の形態として、実施の形態１〜３を説明した。しかし、本発明は、これらには限定されない。以下、本発明の他の実施の形態を説明する。
【００７４】
本実施の形態にかかるデジタルビデオカメラ１００の光学系及び駆動系は、図８に示すものに限定されない。例えば、図８では３群構成の光学系を例示しているが、他の群構成のレンズ構成としてもよい。また、それぞれのレンズは、１つのレンズで構成してもよく、複数のレンズから構成されるレンズ群として構成してもよい。
【００７５】
また、実施の形態１〜３では、撮像手段として、ＣＣＤイメージセンサー１８０を例示したが、本発明はこれに限定されない。例えば、撮像手段をＣＭＯＳイメージセンサーで構成してもよく、ＮＭＯＳイメージセンサーで構成してもよい。
【００７６】
また、実施の形態１〜３では、左目用画像と右目用画像のＣＣＤイメージセンサー１８０における水平方向の結像位置の調整、及び右目用画像のＣＣＤイメージセンサー１８０における垂直方向の結像位置の調整をレンズキャップ５７０を取り付けた状態で使用者に行わせている。しかしながら、必ずしもこのような構成には限定されない。レンズキャップ５７０を取り付けていない状態で、左目用画像と右目用画像のＣＣＤイメージセンサー１８０における水平方向の結像位置の調整、及び右目用画像のＣＣＤイメージセンサー１８０における垂直方向の結像位置の調整を使用者に行わせるような構成であってもよい。
【００７７】
また、実施の形態１では、３Ｄコンバージョンレンズ５００の取付状態の調整時に左目用画像と右目用画像とを重畳した画像を表示するよう液晶モニタ２７０を制御した。しかしながら、必ずしもこのような構成には限定されない。例えば、３Ｄ画像を再生し、液晶モニタ２７０に表示させる際に、左目用画像と右目用画像とを重畳した画像を表示するよう液晶モニタ２７０を制御してもよい。これにより、左目用画像と右目用画像との視差がどの程度であるかを２Ｄ対応の液晶モニタ上で使用者に認識させることができる。
【００７８】
本実施形態では、上述のように、３Ｄコンバージョンレンズ５００の取付状態の調整時に液晶モニタ２７０に左目用画像と右目用画像とを重畳（合成）した画像を表示する。この重畳（合成）の態様の一例として図１２（ｄ）を示したが、２つの画像が同時に表示され、液晶モニタ２７０上において左目用画像及び右目用画像の垂直方向の位置がそれぞれ認識可能である限り、如何なる態様であってもよい。例えば、半透明な左目用画像と右目用画像を重ねて表示してもよい。また、不透明な左目用画像と右目用画像を重ねて表示してもよい。なお、左目用画像と右目用画像の重畳は、両画像を合成することにより行うこともできる。
【産業上の利用可能性】
【００７９】
本発明は、デジタルビデオカメラやデジタルスチルカメラ等の撮像装置に適用できる。
【符号の説明】
【００８０】
１００  デジタルビデオカメラ
１１０  ズームレンズ
１２０  検出器
１３０  ズームモータ
１４０  ＯＩＳ
１５０  ＯＩＳアクチュエータ
１６０  検出器
１７０  フォーカスレンズ
１８０  ＣＣＤイメージセンサー
１９０  画像処理部
２００  メモリ
２１０  コントローラー
２２０  ジャイロセンサー
２３０  カードスロット
２４０  メモリカード
２５０  操作部材
２６０  ズームレバー
２７０  液晶モニタ
２８０  内部メモリ
【手続補正２】
【補正対象書類名】特許請求の範囲
【補正対象項目名】全文
【補正方法】変更
【補正の内容】
【特許請求の範囲】
【請求項１】
左目用の画像を形成するための光と右目用の画像を形成するための光とを集光可能な光学系を有する３Ｄアダブタを接続可能であり、前記光学系の調整を行うための調整モードに設定可能な撮像装置であって、
前記３Ｄアダブタを介して集光された光に基づいて形成された画像を撮像する撮像手段と、
前記撮像手段により撮像された画像を表示する表示手段と、を備え、
前記表示手段は、自装置が前記調整モードに設定されている際、前記撮像手段により撮像された左目用の画像と右目用の画像とを重畳して表示する、
撮像装置。
【請求項２】
前記調整モードは、前記左目用の画像が形成される垂直方向の位置と前記右目用の画像が形成される垂直方向の位置とを揃えるためのモードである、
請求項１に記載の撮像装置。
【請求項３】
左目用の画像を形成するための光と右目用の画像を形成するための光とを集光可能な光学系を有する３Ｄアダブタを接続可能であり、前記光学系の調整を行う調整モードに設定可能な撮像装置であって、
前記３Ｄアダブタを介して集光された光に基づいて形成された画像を撮像する撮像手段を備え、
前記調整モードには、
前記左目用の画像、及び右目用の画像の何れか一方の画像が前記撮像手段上に形成される位置を調整するための第１のモードと、
前記撮像手段により撮像された左目用の画像と右目用の画像とを重畳して表示し、前記第１のモードにおいて調整された一方の画像が前記撮像手段上に形成される垂直方向の位置に対して、他方の画像が前記撮像手段上に形成される垂直方向の位置を揃えるための第２のモードと、が含まれる、
撮像装置。
【請求項４】
メッセージを表示する表示手段をさらに備え、
前記表示手段は、前記第１のモードに入る前に前記３Ｄアダブタにレンズキャップを取り付けるよう使用者に促すメッセージを表示し、前記第２のモードに入る前に前記レンズキャップを取り外すよう使用者に促すメッセージを表示する、
請求項３に記載の撮像装置。
【請求項５】
前記レンズキャップは、撮像装置の水平方向に対して斜めに交差するパターンを有する、
請求項４に記載の撮像装置。
【請求項６】
自装置の電源ＯＦＦ時に、前記３Ｄアダプタが取り付けられているか否かを検出する第１の検出手段と、
前記第１の検出手段の検出結果を示す情報を記録する情報記録手段と、
自装置の電源ＯＮ時に、前記３Ｄアダプタが取り付けられているか否かを検出する第２の検出手段と、
前記情報記録手段に記録されている情報と前記第２の検出手段の検出結果とに基づいて、前記調整モードに設定するか否かを決定する決定手段と、をさらに備える、
請求項１から請求項５のいずれかに記載の撮像装置。
【請求項７】
自装置の電源ＯＦＦ時に前記情報記録手段で記録された情報が、前記３Ｄアダプタが取り付けられていることを示す情報であり、この電源ＯＦＦの後の自装置の電源ＯＮ時における前記第２の検出手段の検出結果が、前記３Ｄアダプタが取り付けられていることを示すものであるときは、前記３Ｄアダプタの調整を促す警告を表示する、
請求項６に記載の撮像装置。
【請求項８】
撮像装置に取り付けられる３Ｄアダプタに装着され、前記３Ｄアダプタを構成するレンズの位置を調整するためのレンズキャップであって、
前記３Ｄアダプタに装着された状態において、前記撮像装置の水平方向に対して斜めに交差するレンズ位置調整用パターンが形成されている、レンズキャップ。
【請求項９】
前記請求項８に記載のレンズキャップが装着された３Ｄアダプタ。
【手続補正３】
【補正対象書類名】図面
【補正対象項目名】全図
【補正方法】変更
【補正の内容】
【図１】
2012014355.tif 000020
【図２】
2012014355.tif 000021
【図３】
2012014355.tif 000022
【図４】
2012014355.tif 000023
【図５】
2012014355.tif 000024
【図６】
2012014355.tif 000025
【図７】
2012014355.tif 000026
【図８】
2012014355.tif 000027
【図９Ａ】
2012014355.tif 000028
【図９Ｂ】
2012014355.tif 000029
【図１０】
2012014355.tif 000030
【図１１】
2012014355.tif 000031
【図１２】
2012014355.tif 000032
【図１３】
2012014355.tif 000033
【図１４】
2012014355.tif 000034
【図１５】
2012014355.tif 000035
【図１６】
2012014355.tif 000036
【国際調査報告】
2012014355.tif 000037
2012014355.tif 000038
2012014355.tif 000039
2012014355.tif 000040